(57)【要約】【課題】補修部品表を作成するためのメンテナンス作業に要するデータの入力の自動化を行うことができ、人為的なデータの入力ミスの発生を防止することができるようにする。【解決手段】仕様管理サーバ１０により、補修部品に関わる情報が管理され、仕様管理サーバ１０に接続された製品仕様データベース１１により、販売形態変更情報、イニシャル情報、口座データを含む補修部品に関わる情報が蓄積され、部品事業サーバ２０により、ネットワーク３０を介し、仕様管理サーバ１０から販売形態の変更の対象となる補修部品に関わる情報が受け取られ、部品事業サーバ２０に接続されたイニシャル部品表データベース２１により、販売形態の変更の対象となる補修部品に関わる情報に基づいた最終販売の形態や、調達先及び価格についてのメンテナンス作業に必要となるイニシャル部品表のデータが蓄積されるようにする。【選択図】  図１
2004234374.tif 000002
【特許請求の範囲】
【請求項１】
補修部品に関わる情報を管理する機能を有した仕様管理サーバと、
前記仕様管理サーバに接続され、販売形態変更情報、イニシャル情報、口座データを含む前記補修部品に関わる情報が蓄積されている製品仕様データベースと、
ネットワークを介し、前記仕様管理サーバから販売形態の変更の対象となる補修部品に関わる情報を受け取る機能を有する部品事業サーバと、
前記部品事業サーバに接続され、前記販売形態の変更の対象となる補修部品に関わる情報に基づいた最終販売の形態や、調達先及び価格についてのメンテナンス作業に必要となるイニシャル部品表のデータが蓄積されるイニシャル部品表データベースとを備える
ことを特徴とする補修部品表作成支援システム。
【請求項２】
前記仕様管理サーバは、
販売形態の変更に基づく口座通知の内容を口座データとして前記製品仕様データベースに登録する機能を有した口座データ登録部と、
モデル、タイプ、オプション、カラーを含むイニシャル情報による条件設定を受け付ける機能を有した条件設定受付部と、
前記製品仕様データベースに蓄積された口座通知の内容を示す口座データから、前記条件設定受付部によって受け付けられたイニシャル情報に一致する口座データを照会する機能を有した条件照会部と、
前記部品事業サーバからの基本情報の伝送指示に基づき、前記製品仕様データベースに蓄積されている基本情報を抽出する機能を有した基本情報抽出部と、
前記基本情報抽出部によって抽出された基本情報を、前記ネットワークを介して前記部品事業サーバに伝送する機能を有した情報伝送部と、
前記部品事業サーバからの適用情報の伝送指示に基づき、前記製品仕様データベースに蓄積されている適用情報を抽出する機能を有した適用情報抽出部と、
前記適用情報抽出部によって抽出された適用情報を、前記ネットワークを介して前記部品事業サーバに伝送する機能を有した適用情報伝送部とを有し、
前記部品事業サーバは、
要求すべき基本情報を受け付ける機能を有した基本情報受付部と、
前記基本情報受付部によって受け付けられた前記基本情報の伝送指示を前記ネットワークを介して前記仕様管理サーバに伝送する機能を有した情報伝送指示部と、
前記仕様管理サーバから得られる基本情報に合う補修部品を対象部品として前記イニシャル部品表データベースに登録する機能を有した対象部品情報登録部と、
要求すべき適用情報を受け付ける機能を有した適用情報受付部と、
前記適用情報受付部によって受け付けられた適用情報の伝送指示を前記ネットワークを介して前記仕様管理サーバに伝送する機能を有した適用情報伝送指示部と、
前記仕様管理サーバから得られる前記適用情報に合う補修部品を適用対象部品として前記イニシャル部品表データベースに登録する機能を有した適用対象部品情報登録部とを有する
ことを特徴とする請求項１に記載の補修部品表作成支援システム。
【請求項３】
仕様管理サーバにより、補修部品に関わる情報が管理される工程と、
前記仕様管理サーバに接続された製品仕様データベースにより、販売形態変更情報、イニシャル情報、口座データを含む前記補修部品に関わる情報が蓄積される工程と、
部品事業サーバにより、ネットワークを介し、前記仕様管理サーバから販売形態の変更の対象となる補修部品に関わる情報が受け取られる工程、
前記部品事業サーバに接続されたイニシャル部品表データベースにより、前記販売形態の変更の対象となる補修部品に関わる情報に基づいた最終販売の形態や、調達先及び価格についてのメンテナンス作業に必要となるイニシャル部品表のデータが蓄積される工程とを有する
ことを特徴とする補修部品表作成支援方法。
【請求項４】
前記仕様管理サーバは、
口座データ登録部により、販売形態の変更に基づく口座通知の内容が口座データとして前記製品仕様データベースに登録される工程と、
条件設定受付部により、モデル、タイプ、オプション、カラーを含むイニシャル情報による条件設定が受け付けられる工程と、
条件照会部により、前記製品仕様データベースに蓄積された口座通知の内容を示す口座データから、前記条件設定受付部によって受け付けられたイニシャル情報に一致する口座データが照会される工程と、
基本情報抽出部により、前記部品事業サーバからの基本情報の伝送指示に基づき、前記製品仕様データベースに蓄積されている基本情報が抽出される工程と、
情報伝送部により、前記基本情報抽出部によって抽出された基本情報が、前記ネットワークを介して前記部品事業サーバに伝送される工程と、
適用情報抽出部により、前記部品事業サーバからの適用情報の伝送指示に基づき、前記製品仕様データベースに蓄積されている適用情報が抽出される工程と、
適用情報伝送部により、前記適用情報抽出部によって抽出された適用情報が、前記ネットワークを介して前記部品事業サーバに伝送される工程とを有し、
前記部品事業サーバは、
基本情報受付部により、要求すべき基本情報が受け付けられる工程と、
情報伝送指示部により、前記基本情報受付部によって受け付けられた前記基本情報の伝送指示が前記ネットワークを介して前記仕様管理サーバに伝送される工程と、
対象部品情報登録部により、前記仕様管理サーバから得られる基本情報に合う補修部品が対象部品として前記イニシャル部品表データベースに蓄積される工程と、
適用情報受付部により、要求すべき適用情報が受け付けられる工程と、
適用情報伝送指示部により、前記適用情報受付部によって受け付けられた適用情報の伝送指示が前記ネットワークを介して前記仕様管理サーバに伝送される工程と、
適用対象部品情報登録部により、前記仕様管理サーバから得られる前記適用情報に合う補修部品が適用対象部品として前記イニシャル部品表データベースに登録される工程とを有する
ことを特徴とする請求項３に記載の補修部品表作成支援方法。
【発明の詳細な説明】
【０００１】
【発明の属する技術分野】
本発明は、四輪・二輪・汎用製品を含む新車の補修部品表の自動作成を支援する補修部品表作成支援システムに関する。
【０００２】
【従来の技術】
ブレーキパッド、エアーフィルタ、ワイパーブレード等の自動車用の補修部品は、新車が開発されると、その設計図に基づいて上市すべきものが決定される。自動車の場合、同一車種であっても、複数のオプションの組み合わせで複数の販売モデルがＭＴＯＣ（Ｍｏｄｅｌ，Ｔｙｐｅ，Ｏｐｔｉｏｎ，Ｃｏｌｌａｒ）別に設定される。また、国内モデルと海外モデルとでは、その仕様が異なる場合があり、その仕様に合わせた補修部品も決定される。ちなみに、自動車用の補修部品は、一車種当たり７，０００もの販売口座が設定されている。ここで、販売口座とは、パーツリストに載せられる数字やアルファベット等からなる補修部品の番号である。これらの補修部品は、新車が市場で販売されるまでに事前に在庫しておく必要がある。つまり、エンドユーザの要望に即座に答えることができるようにするためである。
【０００３】
ところで、同じ補修部品でも市場（国）によっては、ユニットの大きさや販売の有無の要望が異なるため、それぞれの要望に応じてユニットの大きさや販売の有無を変更する必要がある。補修部品のユニットの大きさについては、試作時に、現用の同車種をベースとして決定している。ところが、上市後、市場（国）によってはユニットをさらに細かい単位で販売することを要望してくる場合がある。この場合、その要望に対して再度判断し、要望通りになると、最終販売の形態や、調達先及び価格等についての補修部品表を作成するためのメンテナンス作業が行われる。このメンテナンス作業は、現在、ＰＣ（Ｐｅｒｓｏｎａｌ  Ｃｏｍｐｕｔｅｒ）を用いてのデータ入力作業によって行われる。そのため、データの入力に多大な工数がかかるばかりか、人為的なデータの入力ミスも発生することがある。
ちなみに、特許文献１では、部品業者端末から入力された部品情報を車両型式情報及び部品品名コードの組み合わせと対応付けてデータベースの部品情報テーブルに登録し、利用者端末から入力された部品品番コードを、対応する車両型式情報及び部品品名コードの組み合わせに変換し、車両型式情報及び部品品名コードの組み合わせと対応する部品情報をデータベースより検索するようにしている。
【０００４】
【特許文献１】
特開２００２−２４５０５７
【０００５】
【発明が解決しようとする課題】
このように、特許文献１では、車両型式情報及び部品品名コードの組み合わせと対応する部品情報をデータベースより検索するようにしていることで、自動車部品の利用者に対して部品品番の入力による部品情報の利用と、部品業者（部品の供給者）における部品情報の登録作業の軽減とが可能となる。ところが、上述したように、市場（国）毎の要望に対しての最終販売の形態や、調達先及び価格等についての補修部品表を作成するためのメンテナンス作業を自動で行うことができないため、メンテナンス作業のためのデータの入力に多大な工数がかかるということを解消できないばかりか、人為的なデータの入力ミスの発生を防止することも不可能である。
【０００６】
本発明は、このような状況に鑑みてなされたものであり、補修部品表を作成するためのメンテナンス作業に要するデータの入力の自動化を行うことができ、併せて人為的なデータの入力ミスの発生を防止することができる補修部品表作成支援システムを提供することができるようにするものである。
【０００７】
【課題を解決するための手段】
本発明の補修部品表作成支援システムは、補修部品に関わる情報を管理する機能を有した仕様管理サーバと、仕様管理サーバに接続され、販売形態変更情報、イニシャル情報、口座データを含む補修部品に関わる情報が蓄積されている製品仕様データベースと、ネットワークを介し、仕様管理サーバから販売形態の変更の対象となる補修部品に関わる情報を受け取る機能を有する部品事業サーバと、部品事業サーバに接続され、販売形態の変更の対象となる補修部品に関わる情報に基づいた最終販売の形態や、調達先及び価格についてのメンテナンス作業に必要となるイニシャル部品表のデータが蓄積されるイニシャル部品表データベースとを備えることを特徴とする。
また、仕様管理サーバは、販売形態の変更に基づく口座通知の内容を口座データとして製品仕様データベースに登録する機能を有した口座データ登録部と、モデル、タイプ、オプション、カラーを含むイニシャル情報による条件設定を受け付ける機能を有した条件設定受付部と、製品仕様データベースに蓄積された口座通知の内容を示す口座データから、条件設定受付部によって受け付けられたイニシャル情報に一致する口座データを照会する機能を有した条件照会部と、部品事業サーバからの基本情報の伝送指示に基づき、製品仕様データベースに蓄積されている基本情報を抽出する機能を有した基本情報抽出部と、基本情報抽出部によって抽出された基本情報を、ネットワークを介して部品事業サーバに伝送する機能を有した情報伝送部と、部品事業サーバからの適用情報の伝送指示に基づき、製品仕様データベースに蓄積されている適用情報を抽出する機能を有した適用情報抽出部と、適用情報抽出部によって抽出された適用情報を、ネットワークを介して部品事業サーバに伝送する機能を有した適用情報伝送部とを有し、部品事業サーバは、要求すべき基本情報を受け付ける機能を有した基本情報受付部と、基本情報受付部によって受け付けられた基本情報の伝送指示をネットワークを介して仕様管理サーバに伝送する機能を有した情報伝送指示部と、仕様管理サーバから得られる基本情報に合う補修部品を対象部品としてイニシャル部品表データベースに登録する機能を有した対象部品情報登録部と、要求すべき適用情報を受け付ける機能を有した適用情報受付部と、適用情報受付部によって受け付けられた適用情報の伝送指示をネットワークを介して仕様管理サーバに伝送する機能を有した適用情報伝送指示部と、仕様管理サーバから得られる適用情報に合う補修部品を適用対象部品としてイニシャル部品表データベースに登録する機能を有した適用対象部品情報登録部とを有するようにすることができる。
本発明の補修部品表作成支援方法は、仕様管理サーバにより、補修部品に関わる情報が管理される工程と、仕様管理サーバに接続された製品仕様データベースにより、販売形態変更情報、イニシャル情報、口座データを含む補修部品に関わる情報が蓄積される工程と、部品事業サーバにより、ネットワークを介し、仕様管理サーバから販売形態の変更の対象となる補修部品に関わる情報が受け取られる工程と、部品事業サーバに接続されたイニシャル部品表データベースにより、販売形態の変更の対象となる補修部品に関わる情報に基づいた最終販売の形態や、調達先及び価格についてのメンテナンス作業に必要となるイニシャル部品表のデータが蓄積される工程とを有することを特徴とする。
また、仕様管理サーバは、口座データ登録部により、販売形態の変更に基づく口座通知の内容が口座データとして製品仕様データベースに登録される工程と、条件設定受付部により、モデル、タイプ、オプション、カラーを含むイニシャル情報による条件設定が受け付けられる工程と、条件照会部により、製品仕様データベースに蓄積された口座通知の内容を示す口座データから、条件設定受付部によって受け付けられたイニシャル情報に一致する口座データが照会される工程と、基本情報抽出部により、部品事業サーバからの基本情報の伝送指示に基づき、製品仕様データベースに蓄積されている基本情報が抽出される工程と、情報伝送部により、基本情報抽出部によって抽出された基本情報が、ネットワークを介して部品事業サーバに伝送される工程と、適用情報抽出部により、部品事業サーバからの適用情報の伝送指示に基づき、製品仕様データベースに蓄積されている適用情報が抽出される工程と、適用情報伝送部により、適用情報抽出部によって抽出された適用情報が、ネットワークを介して部品事業サーバに伝送される工程とを有し、部品事業サーバは、基本情報受付部により、要求すべき基本情報が受け付けられる工程と、情報伝送指示部により、基本情報受付部によって受け付けられた基本情報の伝送指示がネットワークを介して仕様管理サーバに伝送される工程と、対象部品情報登録部により、仕様管理サーバから得られる基本情報に合う補修部品が対象部品としてイニシャル部品表データベースに登録される工程と、適用情報受付部により、要求すべき適用情報が受け付けられる工程と、適用情報伝送指示部により、適用情報受付部によって受け付けられた適用情報の伝送指示がネットワークを介して仕様管理サーバに伝送される工程と、適用対象部品情報登録部により、仕様管理サーバから得られる適用情報に合う補修部品が適用対象部品としてイニシャル部品表データベースに登録される工程とを有するようにすることができる。
【０００８】
【発明の作用効果】
以上の如く本発明に係る補修部品表作成支援システムによれば、仕様管理サーバにより、補修部品に関わる情報が管理され、仕様管理サーバに接続された製品仕様データベースにより、販売形態変更情報、イニシャル情報、口座データを含む補修部品に関わる情報が蓄積され、部品事業サーバにより、ネットワークを介し、仕様管理サーバから販売形態の変更の対象となる補修部品に関わる情報が受け取られ、部品事業サーバに接続されたイニシャル部品表データベースにより、販売形態の変更の対象となる補修部品に関わる情報に基づいた最終販売の形態や、調達先及び価格についてのメンテナンス作業に必要となるイニシャル部品表のデータが蓄積されるようにしたので、補修部品表を作成するためのメンテナンス作業に要するデータの入力の自動化を行うことができ、併せて人為的なデータの入力ミスの発生を防止することができる。
【０００９】
【発明の実施の形態】
以下、本発明の実施の形態について説明する。
図１は、本発明の補修部品表作成支援システムの一実施の形態を示す図、図２は、図１の仕様管理サーバ及び部品事業サーバの詳細を示す図、図３〜図４は、図１の補修部品表作成支援システムによる補修部品表作成支援方法を説明するためのフローチャートである。
図１に示す補修部品表作成支援システムは、仕様管理サーバ１０及び部品事業サーバ２０を備え、これらはネットワーク３０を介して相互に通信できる構成となっている。ネットワーク３０としては、専用回線、社内ＬＡＮ、インターネット等を用いることができる。
仕様管理サーバ１０は、補修部品に関わる情報を管理するものであり、製品仕様ＤＢ（データベース）１１を備えている。製品仕様ＤＢ（データベース）１１には、販売形態変更情報、イニシャル情報、口座データ等が蓄積されている。
【００１０】
ここで、イニシャル情報とは、新車の補修部品を意味するものであり、自動車の場合、同一車種であっても、複数のオプションの組み合わせで複数の販売モデルがＭＴＯＣ（Ｍｏｄｅｌ，Ｔｙｐｅ，Ｏｐｔｉｏｎ，Ｃｏｌｌａｒ）別に設定されている。また、ＭＴＯＣが設定されている補修部品は、販売実績や販売予定があるものである。よって、イニシャル情報を用いることで、販売形態に変更がある場合、対象となる補修部品の特定が可能となる。またここで、口座とは、パーツリストに載せられる数字やアルファベット等からなる補修部品の番号である。
部品事業サーバ２０は、仕様管理サーバ１０から補修部品表の作成に必要な情報を受け取ることで、補修部品表の作成を支援するものであり、イニシャル部品表ＤＢ（データベース）２１を備えている。ここで、補修部品表の作成に必要な情報は、販売形態の変更の対象となる補修部品に関わる情報である。イニシャル部品表ＤＢ（データベース）２１には、販売形態の変更の対象となる補修部品に関わる情報に基づいた最終販売の形態や、調達先及び価格についてのメンテナンス作業に必要となるイニシャル部品表のデータが蓄積される。ここで、イニシャル部品表とは、上市後の市場（国）毎の最終販売の形態や、調達先及び価格等についてのメンテナンス作業に用いられる補修部品表である。
【００１１】
次に、仕様管理サーバ１０及び部品事業サーバ２０の詳細について説明する。
図２に示すように、仕様管理サーバ１０は、口座データ登録部１２、条件設定受付部１３、条件照会部１４、基本情報抽出部１５、情報伝送部１６、適用情報抽出部１７、適用情報伝送部１８を備えている。
口座データ登録部１２は、販売形態の変更に基づく口座通知の内容を口座データとして製品仕様ＤＢ（データベース）１１に登録する機能を有している。
条件設定受付部１３は、後述のモデル、タイプ、オプション、カラー等のイニシャル情報による条件設定を受け付ける機能を有している。
条件照会部１４は、製品仕様ＤＢ（データベース）１１に蓄積された口座通知の内容を示す口座データから、条件設定受付部１３によって受け付けられたイニシャル情報に一致する口座データを照会する機能を有している。
基本情報抽出部１５は、部品事業サーバ２０からの基本情報の伝送指示に基づき、製品仕様ＤＢ（データベース）１１に蓄積されている基本情報を抽出する機能を有している。ここで、基本情報とは、後述のように、部品番号、仕様通知番号、設計変更番号、種類記号、互換性、在庫取扱い情報等である。
【００１２】
情報伝送部１６は、基本情報抽出部１５によって抽出された基本情報を、ネットワーク３０を介して部品事業サーバ２０に伝送する機能を有している。
適用情報抽出部１７は、部品事業サーバ２０からの適用情報の伝送指示に基づき、製品仕様ＤＢ（データベース）１１に蓄積されている適用情報を抽出する機能を有している。ここで、適用情報とは、後述のように、Ｂ・ＳＥＣの品目Ｎｏ、外装色、内装タイプ等である。ここでのＢは組み立てブロックやサービスブロックの情報ブロックであり、ＳＥＣはエンジン、車体、足回り等の車のセクション分けを示す。
適用情報伝送部１８は、適用情報抽出部１７によって抽出された適用情報を、ネットワーク３０を介して部品事業サーバ２０に伝送する機能を有している。
【００１３】
部品事業サーバ２０は、基本情報受付部２２、情報伝送指示部２３、対象部品情報登録部２４、適用情報受付部２５、適用情報伝送指示部２６、適用対象部品情報登録部２７を備えている。
基本情報受付部２２は、上述した部品番号、仕様通知番号、設計変更番号、種類記号、互換性、在庫取扱い情報等の要求すべき基本情報を受け付ける機能を有している。
情報伝送指示部２３は、基本情報受付部２２によって受け付けられた基本情報の伝送指示をネットワーク３０を介して仕様管理サーバ１０に伝送する機能を有している。
対象部品情報登録部２４は、仕様管理サーバ１０から得られる基本情報に合う補修部品を対象部品としてイニシャル部品表ＤＢ（データベース）２１に登録する機能を有している。
適用情報受付部２５は、上述したＢ・ＳＥＣの品目Ｎｏ、外装色、内装タイプ等の要求すべき適用情報を受け付ける機能を有している。
適用情報伝送指示部２６は、適用情報受付部２５によって受け付けられた適用情報の伝送指示をネットワーク３０を介して仕様管理サーバ１０に伝送する機能を有している。
適用対象部品情報登録部２７は、仕様管理サーバ１０から得られる適用情報に合う補修部品を適用対象部品としてイニシャル部品表ＤＢ（データベース）２１に登録する機能を有している。
【００１４】
次に、このような構成の補修部品表作成支援システムによる補修部品表作成支援方法について説明する。
まず、図３に示すように、上市後、市場（国）毎に販売形態に変更が生じると、研究所にて部番、基本情報、販売区分等の情報を基に、口座通知が作成される（ステップＳ１〜Ｓ２）。ここで、口座とは、上述したように、パーツリストに載せられる数字やアルファベット等からなる補修部品の番号である。そして、作成された口座通知が得られると、仕様管理サーバ１０により、サービス資料の作成が行われる。この場合、口座通知の内容が口座データ登録部１２により製品仕様ＤＢ（データベース）１１に入力された後、メーカーコードを含む手配情報が作成される（ステップＳ３〜Ｓ５）。
【００１５】
また、これと平行して部品事業サーバ２０により、製品仕様ＤＢ（データベース）１１内の口座通知の内容を示す口座データの入力状況が確認される（ステップＳ６〜Ｓ９）。次いで、条件設定が行われる（ステップＳ１０）。ここでは、部品事業サーバ２０からのモデル、タイプ、オプション、カラー等のイニシャル情報による条件設定が条件設定受付部１３により受け付けられると、条件照会部１４により、製品仕様ＤＢ（データベース）１１に蓄積された口座通知の内容を示す口座データから、受け付けられたイニシャル情報に一致する口座データとの照会が行われ（ステップＳ１１）、不一致の場合には（ステップＳ９）に戻り、再度、モデル、タイプ、オプション、カラー等のイニシャル情報による条件設定が行われる。
これに対し、一致している場合には、図４に示すように、製品仕様ＤＢ（データベース）１１からの基本情報の抽出が行われる（ステップＳ１２〜Ｓ１３）。ここで抽出される基本情報は、部品番号、仕様通知番号、設計変更番号、種類記号、互換性、在庫取扱い情報等である。また、ここで情報伝送指示部２３からの情報伝送指示があると、抽出された基本情報がネットワーク３０を介して部品事業サーバ２０に伝送され、部品事業サーバ２０の対象部品情報登録部２４により、基本情報に合う補修部品が対象部品としてイニシャル部品表ＤＢ（データベース）２１に登録される（ステップＳ１４〜Ｓ１５）。
【００１６】
ここで、イニシャル部品表ＤＢ（データベース）２１に蓄積された基本情報に変更が無ければ、部品発注作業開始となる（ステップＳ１９）。これに対し、適用情報の抽出が必要となる場合には、適用情報伝送指示部２６からの適用情報の伝送指示に基づき、適用情報抽出部１７による適用情報の抽出が行われる（ステップＳ１６〜Ｓ１７）。この場合の適用情報は、Ｂ・ＳＥＣの品目Ｎｏ、外装色、内装タイプ等である。ここで、Ｂは組み立てブロックやサービスブロックの情報ブロックであり、ＳＥＣはエンジン、車体、足回り等の車のセクション分けを示す。
そして、これらの適用情報に合うものが、適用情報抽出部１７により抽出され、適用情報伝送部１８により部品事業サーバ２０に伝送されると、その適用情報が適用対象部品情報登録部２７により、イニシャル部品表ＤＢ（データベース）２１に登録される（ステップＳ１８）。そして、適用情報がイニシャル部品表ＤＢ（データベース）２１に登録されると、その登録された適用情報を基に、部品発注作業開始となる（ステップＳ１９）。
【００１７】
このように、本実施の形態では、仕様管理サーバ１０により、補修部品に関わる情報が管理され、仕様管理サーバ１０に接続された製品仕様データベース１１により、販売形態変更情報、イニシャル情報、口座データを含む補修部品に関わる情報が蓄積され、部品事業サーバ２０により、ネットワーク３０を介し、仕様管理サーバ１０から販売形態の変更の対象となる補修部品に関わる情報が受け取られ、部品事業サーバ２０に接続されたイニシャル部品表データベース２１により、販売形態の変更の対象となる補修部品に関わる情報に基づいた最終販売の形態や、調達先及び価格についてのメンテナンス作業に必要となるイニシャル部品表のデータが蓄積されるようにしたので、補修部品表を作成するためのメンテナンス作業に要するデータ入力の自動化を行うことができ、併せて人為的なデータの入力ミスの発生を防止することができる。
なお、本実施の形態では、自動車の補修部品の補修部品表の自動作成を支援する場合について説明したが、この例に限らず、二輪や汎用製品を含む新車の補修部品の補修部品表の自動作成を支援する場合にも適用することができる。
【図面の簡単な説明】
【図１】本発明の補修部品表作成支援システムの一実施の形態を示す図である。
【図２】図１の仕様管理サーバ及び部品事業サーバの詳細を示す図である。
【図３】図１の補修部品表作成支援システムによる補修部品表作成支援方法を説明するためのフローチャートである。
【図４】図１の補修部品表作成支援システムによる補修部品表作成支援方法を説明するためのフローチャートである。
【符号の説明】
１０  仕様管理サーバ
１１  製品仕様ＤＢ（データベース）
１２  口座データ登録部
１３  条件設定受付部
１４  条件照会部
１５  基本情報抽出部
１６  情報伝送部
１７  適用情報抽出部
１８  適用情報伝送部
２０  部品事業サーバ
２１  イニシャル部品表ＤＢ（データベース）
２２  基本情報受付部
２３  情報伝送指示部
２４  対象部品情報登録部
２５  適用情報受付部
２６  適用情報伝送指示部
２７  適用対象部品情報登録部
３０  ネットワーク
【図１】
2004234374.tif 000003
【図２】
2004234374.tif 000004
【図３】
2004234374.tif 000005
【図４】
2004234374.tif 000006